(57)【要約】      （修正有）【課題】ヘタリ等の耐久性に難がある材料のクッション性を維持しつつ、その欠点を解消できるような構造を有することで、快適性及びサポート性を高めたシューソールを提供する。【解決手段】ミッドソール３と、ミッドソールよりも硬さが軟らかいクッション材５と、タイプＡデュロメータ硬さが３０〜７０の硬さ及び５０％以上の反発弾性率を有する弾性体シート６とを備え、ミッドソールの上面の一部にはクッション材を収容するための凹部４を備え、クッション材はミッドソールの凹部に配置され、クッション材の凹部の寸法と同じ寸法を有し、凹部及びクッション材の足幅方向の断面形状は上辺よりも下辺が短くなる台形となっており、弾性体シートがクッション材の上面に配置されている。【選択図】図２
0003229584.tif 000002
【実用新案登録請求の範囲】
【請求項１】
シューソールであって、ミッドソールと、前記ミッドソールよりも硬さが軟らかいクッション材と、タイプAデュロメータ硬さが３０〜７０の硬さ及び５０％以上の反発弾性率を有する弾性体シートとを備え、前記ミッドソールの上面の一部には前記クッション材を収容するための凹部を備え、前記クッション材は前記ミッドソールの凹部に配置され、前記クッション材の凹部の寸法と同じ寸法を有し、前記凹部及び前記クッション材の足幅方向の断面形状は上辺よりも下辺が短くなる台形となっており、前記弾性体シートが前記クッション材の上面に配置されていることを特徴とするシューソール及び前記シューソールを有するシューズ。
【考案の詳細な説明】
【技術分野】
【０００１】
本考案は、シューソール及びシューズに関するものである。
【背景技術】
【０００２】
従来から、シューズとして、使用者の走行時又は歩行時における足への負担を軽減する衝撃吸収性、又は反発力によって推進力を与える反発弾性を有する構造を備えたシューズが知られている。  
【０００３】
例えば、特許文献１には合成樹脂層のアウトソール上面に軟質弾性体製のミッドソールが張り合わされた靴底を有するシューズであって、ミッドソール上面には踵及びつま先相当部位に凹部が設けられており、この凹部内にミッドソールよりもさらに軟質な発泡樹脂製のクッション材が収容されているシューズが開示されている。
【０００４】
特許文献２には厚い革等を使用した中底と縫着される本底において、本底を中抜きしてその中にクッション材を詰めた革靴が開示されている。
【０００５】
このような本底より軟質なクッション材を内蔵した構造においてさらなる足への高い快適性及びサポート性を実現するシューズを提供するには、クッション材の衝撃吸収性や反発弾性といったクッション性の高さ、軟らかさ、軽さなどが重要である。そのため、様々なメーカーによってクッション材が開発、研究されてきた。
【先行技術文献】
【特許文献】
【０００６】
【特許文献１】特許４９８９９３３号公報
【特許文献２】特開２０１１−２３５０６６ 号広報
【考案の概要】
【考案が解決しようとする課題】
【０００７】
しかし、こうしたクッション材は、走行又は歩行によって繰り返し圧縮されると、次第に元の厚みに戻らなくなり、少しずつ潰れていき、それに伴ってクッション性も元の性能から低下していくいわゆるヘタリが生じる。クッション性が高い材料ほど、圧縮永久歪が大きく、ヘタリ易い傾向にある。特許文献２の構造であれば、中底によってクッション材が保護されているためヘタリは軽減されるが、一般的に中底材は厚い革や樹脂プレート、樹脂含浸紙等の硬い素材が使用されているため、クッション材のクッション性を阻害し、十分な性能を発揮できない。したがって、ヘタリ易いがクッション性が非常に高いクッション材をシューズに搭載したくても、前記の問題点から従来のシューズには採用できない場合がしばしばあった。
【０００８】
本考案はこのような事情に鑑み、ヘタリ等の耐久性に難がある材料のクッション性を維持しつつ、その欠点を解消できるような構造を有することで、快適性及びサポート性を高めたシューズを提供することを目的とする。
【課題を解決するための手段】
【０００９】
上記の目的を達成するため、ミッドソールと、前記ミッドソールよりも硬さが軟らかいクッション材と、タイプAデュロメータ硬さが３０〜７０の硬さ及び５０％以上の反発弾性率を有する弾性体シートとを備え、前記ミッドソールの上面の一部には前記クッション材を収容するための凹部を備え、前記クッション材は前記ミッドソールの凹部に配置され、前記クッション材の凹部の寸法と同じ寸法を有し、前記凹部及び前記クッション材の足幅方向の断面形状は上辺よりも下辺が短くなる台形となっており、前記弾性体シートが前記クッション材の上面に配置されていることを特徴とするシューソール及び前記シューソールを有するシューズを考案する。なお、タイプAデュロメータとはJIS  K  ６２５３−３に規定されたスプリング式硬さ計のひとつで、硬さを測定するための測定器のことである。また、反発弾性率とはＪＩＳ  Ｋ  ６２５５にて規定されているリュプケ式の反発力の測定方法に準じて測定したものである。
【考案の効果】
【００１０】
本考案のシューソールは、ミッドソールの凹部の中にクッション材が挿入され、その上部を反発弾性率の高い弾性体シートが覆うことにより、クッション材を保護している。この構造により、走行又は歩行によってシューソールが圧縮された際、クッション材が変形してもその上部にある弾性体シートが元の状態に復元するため、クッション材もその動きに追随して元の厚みに復元される。そのため、走行又は歩行によって繰り返し圧縮されても、クッション材はヘタリにくくなる。さらに、弾性体シートも高い反発弾性率を有するため、クッション材のクッション性を阻害することなく性能を発揮する。したがって本考案のシューソールは、ヘタリ等の耐久性に問題点があるクッション材の欠点を解消でき、快適性及びサポート性を高めたシューズを提供することが可能となる。
【図面の簡単な説明】
【００１１】
【図１】図１は本発明に係るシューソールの接足面側図である。
【図２】図２は本発明に係るシューソールの分解図である。
【図３】図３は図１のA-A’断面図である。
【図４】図４は図１のB-B’断面図である。
【考案を実施するための形態】
【００１２】
以下、本発明の実施形態を図面に基づいて説明する。以下の実施形態の説明は、本質的に例示に過ぎず、本考案、その適用物或いはその用途を制限することを意図とするものではない。
【実施例１】
【００１３】
図１〜図４は、本発明の第１実施形態に係るシューズＳを示し、このシューズＳは左足用のシューズのみを例示している。右足用のシューズは、左足用シューズＳと左右対称になるように構成されているので、以下の説明では左足用シューズＳのみについて説明し、右足用シューズの説明は省略する。   図１〜図４は、本発明の第１実施形態に係るシューソール１を示し、このシューソール１は左足用のシューソールのみを例示している。右足用のシューズは、左足用シューソール１と左右対称になるように構成されているので、以下の説明では左足用シューソール１のみについて説明し、右足用シューソールの説明は省略する。また、以下の説明において、上方（上側）および下方（下側）とはシューズＳの上下方向の位置関係を表し、前方（前側/前）および後方（後側/後）とはシューズＳの前後方向の位置関係を表すものとする。また、以下の説明において、上方（上側）及び下方（下側）とはシューソール１の接足面側及び接地面側方向の位置関係を表し、前方（前側）及び後方（後側）とはシューソール１のつま先側及び踵側方向の位置関係を表し、横方（横側）とはシューソール１の足幅方向の位置関係を表すものとする。
【００１４】
１、図２に示すように、このウォーキングシューズ２の底面、つまり接地時の踏み面にはアウターソール４が設けられている。このアウターソール４には軟質な合成樹脂材料が使用されている。合成樹脂材料としては、ゴム、ウレタンなどである。そして、図３〜図９の各図に示すように、この軟質な合成樹脂製のアウターソール４の上面には、発泡ポリウレタンやＥＶＡ等の衝撃吸収性に優れた軟質弾性体製のミッドソール６が張り合わされて靴底８が形成されている。図３、図４に示すように、このシューソール１の底面、つまり接地時の踏み面にはアウトソール２が設けられている。このアウトソール２には軟質な合成樹脂材料が使用されている。合成樹脂材料としては、ブタジエンラバーやクロロプレンラバー等のラバー素材、ポリウレタン（ＰＵ）等の熱硬化性樹脂又はエチレン−酢酸ビニル共重合体（ＥＶＡ）等の熱可塑性樹脂やその発泡体が適している。なお、図３及び図４の各断面図においては、図示の便宜上、アウトソール２、弾性体シート６のハッチングを省略している。そして、図１〜４の各図に示すように、この軟質な合成樹脂製のアウトソール２の上面には、軟質弾性体製のミッドソール３が貼り合わされている。軟質弾性体としては、ブタジエンラバーやクロロプレンラバー等のラバー素材やその発泡体、ポリウレタン（ＰＵ）等の熱硬化性樹脂やその発泡体、又はエチレン−酢酸ビニル共重合体（ＥＶＡ）等の熱可塑性樹脂やその発泡体が適している。
【００１５】
ここで、図３、図４、図５、図６の各図から分かるように、上記ミッドソール６の上面には、つま先側に位置する足指の第３関節部周辺のボール部相当部分（踏みつけ部分）に凹部９ａが形成されており、この凹部９ａには当該ミッドソール６よりも軟質な発泡樹脂製のクッション材１０ａが設けられている。ここで、図１〜図４の各図から分かるように、上記ミッドソール３の上面には、前方から後方の全体にかけてミッドソール３の内縁部３ａから３〜１５ｍｍ内側の部分に凹部４が形成されており、この凹部４にはミッドソール３よりも軟質な発泡樹脂製のクッション材５が充填されている。凹部４とクッション材５の寸法は同じである。発泡樹脂としてはブタジエンラバーやクロロプレンラバー等のラバー素材の発泡体、ポリウレタン（ＰＵ）等の熱硬化性樹脂の発泡体、又はエチレン−酢酸ビニル共重合体（ＥＶＡ）等の熱可塑性樹脂の発泡体が適している。クッション材５はタイプEデュロメータ硬さが２０〜５０の硬さ及び反発弾性率が５０％以上であることが望ましい。さらにその上から弾性体シート６がクッション材５全体を覆う形で設置されている。この弾性体シート６には反発弾性率の高い合成樹脂材料が使用されている。合成樹脂材料としては、ブタジエンラバーやクロロプレンラバー等のラバー素材、ポリウレタン（ＰＵ）等の熱硬化性樹脂又はエチレン−酢酸ビニル共重合体（ＥＶＡ）等の熱可塑性樹脂が適している。弾性体シート６はタイプAデュロメータ硬さが３０〜７０の硬さ及び５０％以上の反発弾性率を有することが望ましい。硬すぎたり、反発弾性率が低いとクッション材５のクッション性を阻害し、軟らかすぎるとヘタリを軽減する効果が低下する。また弾性体シート６の厚みは０．５〜３．０ｍｍであることが望ましい。３．０ｍｍより厚いとクッション材５のクッション性を阻害し、０．５ｍｍより薄いとヘタリを軽減する効果が低下する。
【００１６】
ここで、本実施の形態では、図３の断面図に示すように、凹部４及びクッション材５の横側断面形状は上方の上辺５ａよりも下方の下辺５ｂが短くなる台形となっている。この形状によってクッション材５に荷重がかかった際に沈み込む方向を横方向の中心軸に誘導することにより、足のグラつきを抑える形状に形成されている。スポーツをする際には様々な動きを行うため、足裏にかかる圧力が偏り易いが、この形状にすることで圧力を分散し、足に安定性を与える。また図４の断面図に示すように、凹部４及びクッション材５の前後方向の断面形状は後方から前方に向かって徐々に厚みが薄くなる形状となっている。
【００１７】
以上、本発明についての実施形態を説明したが、本発明は上述の実施形態のみに限定されず、発明の範囲内で種々の変更が可能である。以上、本発明についての実施形態を説明したが、本発明は上述の実施形態のみに限定されず、発明の範囲内で種々の変更が可能である。
【符号の説明】
【００１８】
１    シューソール
２    アウトソール
３    ミッドソール
３ａ  内縁部
４    凹部
５    クッション材
５ａ  上辺
５ｂ  下辺
６    弾性体シート
【図１】
0003229584.tif 000003
【図２】
0003229584.tif 000004
【図３】
0003229584.tif 000005
【図４】
0003229584.tif 000006
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
シューソールであって、ミッドソールと、前記ミッドソールよりも硬さが軟らかいクッション材と、タイプAデュロメータ硬さが３０〜７０の硬さ及び５０％以上の反発弾性率を有する弾性体シートとを備え、前記ミッドソールの上面の一部には前記クッション材を収容するための凹部を備え、前記クッション材は前記ミッドソールの凹部に配置され、前記クッション材の凹部の寸法と同じ寸法を有し、前記凹部及び前記クッション材の足幅方向の断面形状は上辺よりも下辺が短くなる台形となっており、前記弾性体シートが前記クッション材の上面に配置されていることを特徴とするシューソール。
【手続補正２】
【補正対象書類名】明細書
【補正対象項目名】０００１
【補正方法】変更
【補正の内容】
【０００１】本考案は、シューソールに関するものである。
【手続補正３】
【補正対象書類名】明細書
【補正対象項目名】０００９
【補正方法】変更
【補正の内容】
【０００９】  上記の目的を達成するため、ミッドソールと、前記ミッドソールよりも硬さが軟らかいクッション材と、タイプAデュロメータ硬さが３０〜７０の硬さ及び５０％以上の反発弾性率を有する弾性体シートとを備え、前記ミッドソールの上面の一部には前記クッション材を収容するための凹部を備え、前記クッション材は前記ミッドソールの凹部に配置され、前記クッション材の凹部の寸法と同じ寸法を有し、前記凹部及び前記クッション材の足幅方向の断面形状は上辺よりも下辺が短くなる台形となっており、前記弾性体シートが前記クッション材の上面に配置されていることを特徴とするシューソールを考案する。なお、タイプAデュロメータとはJIS  K  ６２５３−３に規定されたスプリング式硬さ計のひとつで、硬さを測定するための測定器のことである。また、反発弾性率とはＪＩＳ  Ｋ  ６２５５にて規定されているリュプケ式の反発力の測定方法に準じて測定したものである。